(57)【要約】【課題】光源部の汚れをより万全に除去して紫外光照射は遮断も大きく低減されることもなく、殺菌作用等をより確実に長期にわたって安定して効果的なものとする。【解決手段】便器本体の内面部に紫外光を照射する光源部１と、光源部の紫外光照射２の前方を覆う透光性のカバー部３とを備えた便器において、カバー部３の表面の汚れを洗浄水５の噴出で除去する洗浄水の噴出部６が配設されている。【選択図】図１
2015214830.tif 000002
【特許請求の範囲】
【請求項１】
便器本体の内面部に紫外光を照射する光源部と、この光源部の紫外光照射の前方を覆う透光性のカバー部とを備えた便器において、前記カバー部の表面の汚れを洗浄水の噴出で除去する洗浄水の噴出部が配設されていることを特徴とする便器装置。
【請求項２】
前記カバー部は光触媒含有層を有していることを特徴とする請求項１に記載の便器装置。
【請求項３】
洗浄水の前記噴出部は、洗浄水の噴出孔を備えたノズル体であることを特徴とする請求項１または２に記載の便器装置。
【請求項４】
前記ノズル体は、人の局部を水噴出で洗浄する局部洗浄ノズルを構成するものであることを特徴とする請求項３に記載の便器装置。
【請求項５】
前記光源部での紫外光照射の開始と停止を行う制御部および洗浄水の前記噴出部での洗浄水の噴出の開始と停止を行う制御部を備えていることを特徴とする請求項１から４のうちのいずれか一項に記載の便器装置。
【発明の詳細な説明】
【技術分野】
【０００１】
本発明は便器装置に関するものである。
【背景技術】
【０００２】
ボウル部を有する便器本体と便座、便蓋、人の局部洗浄のための局部洗浄ノズル部、汚物排出のための排水機構等を備えた便器装置においては、従来より、ボウル部等の便器本体等の殺菌や汚れの除去等のために紫外光を照射することが検討されている。
【０００３】
例えば、ボウル部排水トラップの内部において、封水に埋没する位置に紫外光を発光するＬＥＤ殺菌灯を設置し、封水そのものを殺菌することや、便座下面にＬＥＤ殺菌灯を設け、局部洗浄ノズルの水噴出孔部を殺菌することが提案されている（特許文献１）。
【０００４】
また、局部洗浄ノズルと一体化し、その内部から紫外光を照射することが検討されている（特許文献２、３）。さらには、紫外光の光源部を光触媒で覆って光励起による自浄作用で防汚層とすることも検討されている（特許文献２、３および４）。
【先行技術文献】
【特許文献】
【０００５】
【特許文献１】特開２００１−６５０３５号公報
【特許文献２】特開２００６−３１６６０７号公報
【特許文献３】特開２０１０−８４３３４号公報
【特許文献４】特開２００７−２７５５３号公報
【発明の概要】
【発明が解決しようとする課題】
【０００６】
しかしながら、紫外光を照射して殺菌しようとする従来の便器装置においては、紫外光照射の光源部が汚れていると紫外光の照射は十分なものとならず、殺菌効果は期待できないこととなる。紫外光の光源部を光触媒で覆って防汚層とする場合でも、その表面に付着した汚れの除去は必ずしも万全ではない。
【０００７】
そこで、本発明は、以上のとおりの事情から、紫外光を照射する光源部の汚れをより万全に除去して紫外光の照射量が低減されにくくなり、紫外光の照射による殺菌作用等をより確実に長期にわたって安定して効果的なものとすることのできる便器装置を提供することを課題としている。
【課題を解決するための手段】
【０００８】
本発明の便器装置は、上記課題を解決するため、便器本体の内面部に紫外光を照射する光源部と、光源部の紫外光照射の前方を覆う透光性のカバー部とを備えた便器において、カバー部の表面の汚れを洗浄水の噴出で除去する洗浄水の噴出部が配設されていることを特徴としている。
【発明の効果】
【０００９】
上記のとおりの本発明の便器装置によれば、光源部に直接的に汚れが付着することがなく、しかもカバー部の表面に付着した汚れは、洗浄水の噴出による洗浄でより確実に除去することが可能となる。これによって、光源部からの紫外光の照射量が低減されにくくなり、長期にわたって確実に安定した殺菌、除菌等の作用効果が得られることになる。
【図面の簡単な説明】
【００１０】
【図１】本発明の便座装置における光源部およびカバー部と、カバー部の表面への洗浄水の噴出の構成を原理的に示した概要断面図である。
【図２】カバー部が光触媒含有層を有する場合の一例について、図１と同様の構成を原理的に示した概要断面図である。
【図３】光源部がＵＶ−ＬＥＤユニットの実施形態について例示した要部概要断面図である。
【図４】便器本体の内面部に配設したＵＶ−ＬＥＤユニットから紫外光を便器本体の内面部のボウル面に照射し、局部洗浄ノズルからの洗浄水の噴出でＵＶ−ＬＥＤユニットのカバー部の表面を洗浄するようにした実施形態の概要断面図である。
【図５】ＵＶ−ＬＥＤユニットを便座下面に配設した別の実施形態を示した概要斜視図である。
【図６】図５の実施形態において、局部洗浄ノズルからの洗浄水の噴出でＵＶ−ＬＥＤユニットのカバー部の表面を洗浄する場合を示した概要断面図である。
【発明を実施するための形態】
【００１１】
図４は、本発明の便器装置の一実施形態を概要断面図として例示したものである。
【００１２】
便器装置は、従来と同様に、ボウル部１１１を有する便器本体１１と便座、そして便蓋をはじめ、ボウル部１１１から排せつ物を流し出すための排水トラップや排出水流形成用の水供給部等を備えている。また、便器装置は、便器本体１１等の適宜な部所に換気・脱臭装置や、人のおしり等の局部を水噴出により洗浄する局部洗浄ノズル１２等を備えていてもよい。このような便器装置において、図１に例示したように、便器本体１１の内面部であるボウル部１１１の表面に紫外光を照射する光源部１と、光源部１の紫外光照射２の前方を覆う透光性のカバー部３とが備えられている。また、便器装置には、カバー部３の表面に付着した汚れ４を洗浄水５の噴出で除去する洗浄水の噴出部６が配設されている。
【００１３】
ここで、紫外光を照射する光源部１としては、紫外線ランプ、紫外光ＬＥＤ、その他の一般的な紫外光源を採用することができる。また、紫外線を含む光を照射する白熱電球、蛍光灯、水銀ランプ、キセノンランプ等の光源を採用することもできる。光源部１の形状についても各種であってよい。紫外光を照射することのできる光源部１としては、小型化、省電力化、耐久性等のためには紫外ＬＥＤ（ＵＶ−ＬＥＤ）を用い、この紫外ＬＥＤをカバー部３とともに一体化してユニット構成としたＵＶ−ＬＥＤユニット等を好ましく採用することができる。
【００１４】
透光性のカバー部３は、光源部１より照射される紫外光照射２を透過する透光性を有している。カバー部３が透光性を有していることで、紫外光照射２は、便器本体１１の内面部の所要の部位や方向に向って照射されて殺菌作用、さらには汚れ分解等の作用を実現する。また、カバー部３は、その表面に汚れ４を付着させることで、光源部１に直接に汚れが付着することを防止している。
【００１５】
カバー部３としては、透光性を有し、さらには、付着汚れや、便器洗浄時の洗浄剤の飛散付着等によっても変質や劣化の少ない材質安定性および耐久性を有していることが望ましい。このような観点から、カバー部３としては、アクリル系、エポキシ系、ポリカーボネート系等の透光性樹脂や、透光性のガラス、無機質材、それらの複合材によって形成されたものであることが好ましく考慮される。
【００１６】
カバー部３の形状や大きさ等は、光源部１を覆うものとして平板状、曲面状等の各種であってよい。これらの形状については、紫外光照射２の拡散広がり、あるいは集中の度合と、光源部１の便器装置での配設部位、さらには洗浄効率の度合を考慮しての噴出部６からの洗浄水５の噴出方向等により決めることができる。
【００１７】
また、カバー部３は、図２に例示したように、その表面に光触媒含有層７を有していてもよいし、カバー部３そのものが光触媒含有層７として構成されていてもよい。このような光触媒含有層７としては、二酸化チタン（ＴｉＯ２）に代表される光触媒を含有するものが例示される。光触媒を含むことで、光触媒含有層７は、紫外光によって光触媒が励起されて活性酸素による酸化還元反応が生じ、その結果、雑菌や細菌、臭気物質などの有機物を分解する分解作用と、親水化作用とによって、防汚効果を発揮する浄化容易作用が得られることになる。
【００１８】
光触媒含有層７においては、カバー部３として必要な透光性等を考慮して、光触媒粒子の大きさや配合割合、そしてバインダー樹脂の種類やその配合を決めることができる。カバー部３の表面に光触媒含有層７を配設する場合には、カバー部３の基体部に光触媒含有組成物を塗布して付着させるなどの適宜な手法によることができる。
【００１９】
ただ、カバー部３が光触媒含有層７を有する場合であっても、その浄化容易作用だけでは十分でない。カバー部３に付着した汚れを万全に除去するために、図１および図２に例示したように、噴出部６からの洗浄水５の噴出によってカバー部３の表面の汚れ４を除去する。
【００２０】
噴出部６については、洗浄水５を噴出するための様々な形状と構造とすることができる。例えば、図１および図２のように、洗浄水５を噴出するための噴出孔６１を有するノズル体６２とすることが好ましく考慮される。噴出孔６１を有するノズル体６２とすることで、洗浄水５の射出の方向と、噴出孔６１とカバー部３の表面との距離、接触角度、噴出圧、つまり、洗浄水５の広がりと集中の度合の制御が容易となる。これによって、カバー部３の表面の汚れ４の除去をより効率的なものとすることができる。
【００２１】
ノズル体６２は、噴出の開始、停止に対応して、便器本体１１の内面部においてノズルの長さ方向に前後動可能とすることもできる。
【００２２】
ノズル体６２等の噴出部６については、光源部１とカバー部３の配置位置に対応して便器装置の適宜な位置に配設することができる。
【００２３】
さらに説明すると、図３は、光源部１として前記のＵＶ−ＬＥＤを採用し、カバー部３を一体化したＵＶ−ＬＥＤユニット８を例示したものである。
【００２４】
ＵＶ−ＬＥＤユニット８においては、例えば、実装基板にＬＥＤを装着して筐体を構成し、表面に光触媒層を有するカバー部３を一体化する。この場合にも、紫外光照射２は、カバー部３を透過して行われることになる。
【００２５】
図４は、ＵＶ−ＬＥＤユニット８を便器本体１１のボウル部１１１の上部の一箇所に設けてボウル部１１１の全面に紫外光が照射されるようにした実施形態を例示している。また、この実施形態では、おしり等の局部洗浄ノズル１２からの洗浄水５の噴出によってＵＶ−ＬＥＤユニット８のカバー部３の表面を洗浄するようにしている。
【００２６】
局部洗浄ノズル１２は、従来公知の、あるいは既存のものであってよい。局部洗浄用の噴出孔からの洗浄水５の噴出としてもよいし、あるいは局部洗浄用の噴出孔とは別の噴出孔を設けてＵＶ−ＬＥＤユニット８の表面を洗浄するようにしてもよい。ＵＶ−ＬＥＤユニット８と局部洗浄ノズル１２の組み合わせとすることで、コンパクトな機構としてＵＶ−ＬＥＤユニット８の表面の洗浄水５による汚れ除去が可能となる。これによって、紫外光照射２による殺菌作用等はより万全となり、長期にわたって安定してより確実なものとなる。また、メンテナンスも容易となる。
【００２７】
図５および図６は別の実施形態を例示したものである。この実施形態では、ＵＶ−ＬＥＤユニット８を、便器装置の便座１３の下面部に三箇所配設している。便座１３を図６のように便器本体１１の上縁に載置した状態でボウル部１１１の全面に紫外光が照射されるようにしている。また、図４の例の場合と同様に、おしり等の局部洗浄ノズル１２からの洗浄水５の噴出によってＵＶ−ＬＥＤユニット８の表面を洗浄するようにしている。
【００２８】
この実施形態のように、ＵＶ−ＬＥＤユニット８は適宜な数を、適宜な位置に配置することができる。
例えば以上のような実施形態に限られることなく、便器装置には、光源部１での紫外光照射２の開始と停止を行う制御部および洗浄水５でカバー部３の表面の汚れを除去する洗浄水５の噴出部６での洗浄水５の噴出の開始と停止を行う制御部を設けることができる。噴出部６として局部洗浄ノズル１２を採用する場合等には、ボウル部１１１内への進出と後退の制御部を設けることも考慮される。これにより、タイムリーな作動が可能となり、より利便性と汚れ除去性、また、紫外光照射２の効率性に優れた便器装置が実現される。
【００２９】
もちろん、本発明は以上の例示説明に限定されることはない。様々に変形、変更が可能とされることは言うまでもない。
【符号の説明】
【００３０】
１  光源部
２  紫外光照射
３  カバー部
４  汚れ
５  洗浄水
６  噴出部
７  光触媒含有層
１１  便器本体
１２  局部洗浄ノズル
６１  噴出孔
６２  ノズル体
【図１】
2015214830.tif 000003
【図２】
2015214830.tif 000004
【図３】
2015214830.tif 000005
【図４】
2015214830.tif 000006
【図５】
2015214830.tif 000007
【図６】
2015214830.tif 000008